(57)【特許請求の範囲】
【請求項１】
撮影光学系と、
固定筒と、
手動で操作可能な操作部材と、
前記固定筒に嵌合し、前記操作部材によって光軸を中心として回転可能であって、表面波を発生可能なステータ、及びそのステータに摩擦接触し、前記表面波により光軸を中心に回転して前記撮影光学系を駆動可能なロータとを有する表面波モータと、
前記ロータが回転するときに前記ステータが前記固定筒に対して回転しないように作用する摩擦力を生ずる加圧力を前記固定筒と前記ステータとの間に与える加圧部材と、
前記ステータの光軸方向の位置を変更することによって、前記加圧部材の加圧力を調整する加圧力調整部とを備え、
前記加圧力調整部は、前記ステータの前記固定筒との嵌合面側に設けられたガイド溝と、前記固定筒に設けられ、前記ガイド溝に入り込むガイド部とを備えること、
を特徴とするレンズ鏡筒。
【請求項２】
請求項１に記載のレンズ鏡筒において、
前記ガイド溝は、前記ステータの円周方向に設けられ、
前記ガイド部は、前記固定筒に植設されるガイドピンを備え、
前記加圧力調整部は、前記ガイド部の外径を変更することにより、前記加圧力を調整すること、
を特徴とするレンズ鏡筒。
【請求項３】
請求項１に記載のレンズ鏡筒において、
前記ガイド溝は、前記ステータの円周方向に設けられ、
前記ガイド部は、複数の偏心した接触面を有し前記固定筒に植設されるガイドピンを備え、
前記加圧力調整部は、前記ガイド溝に接触する前記接触面を変更することにより、前記加圧力を調整すること、
を特徴とするレンズ鏡筒。
【請求項４】
請求項３に記載のレンズ鏡筒において、
前記ガイドピンは、前記接触面が連続した偏心ピンであること、
を特徴とするレンズ鏡筒。
【請求項５】
請求項１から請求項４までのいずれか１項に記載のレンズ鏡筒において、
前記ステータは、前記ステータの外周から前記ガイド溝に達し、前記加圧力調整部を調整することができる貫通孔を有すること、
を特徴とするレンズ鏡筒。
【請求項６】
請求項１から請求項５までのいずれか１項に記載のレンズ鏡筒において、
前記操作部材と一体に回転するとともに、前記ステータに回転を伝える連結リングを有し、
前記操作部材と前記連結リングのスリップトルクから前記固定筒と前記ステータのスリップトルクを引いたトルクが、前記ステータと前記ロータのスリップトルクより小さいこと、
を特徴とするレンズ鏡筒。
【請求項７】
請求項６に記載のレンズ鏡筒において、
前記ロータの回転が伝わる連動レバーと、
前記固定筒に設けられ、前記連動レバーが当たることにより、前記ロータの回転を制限する制限部材とを有すること、
を特徴とするレンズ鏡筒。
【発明の詳細な説明】
【０００１】
【発明の属する技術分野】
本発明は、超音波モータを有するレンズ鏡筒に関するものである。
【０００２】
【従来の技術】
図３は、従来のレンズ鏡筒を示す断面図である。
図３に示す従来のレンズ鏡筒は、連動リング１１を手動又は電動（超音波モータ）によって回転することにより、後群レンズＬ２を移動してピント合わせを行う。
まず、従来のレンズ鏡筒において、手動でピント合わせを行う場合のレンズ鏡筒の動作を説明する。
ピント合わせのためにフォーカスリング６を回転する。その回転は、ウェーブワッシャ２０にて加圧された摩擦力によって連結リング１９に伝わる。
連結リング１９の回転は、ステータ１３に伝わった後、ウェーブワッシャ２６によって加圧されたロータ２５との摩擦力によってロータ２５に伝わり、連動リング１１を回転させる。
【０００３】
次に、電動（オートフォーカス）でピント合わせを行う場合のレンズ鏡筒の動作を説明する。
オートフォーカス時には、超音波モータのステータ１３とロータ２５に相対回転を発生させる。ステータ１３は、ウェーブワッシャ１５により光軸方向に加圧されており摩擦力によって前側固定筒１とは相対回転しにくくなっている。そのため、ステータ１３とローター２５との相対回転では、ステータ１３が前側固定筒１に対して回転しないで、ロータ２５が前側固定筒１に対して回転し、連動リング１１を回転させる。
【０００４】
また、フォーカスリングを一方向に回転し続けると、前側固定筒１に存在する回転制限１ａによって連動レバー１０の回転が制限され、連動リング１１は、制限位置以上の回転ができない。この場合は、超音波モータのステータ１３とロータ２５との接触面を保護するために、フォーカスリング６と連結リング１９との間に滑りが発生するようにし、ロータ２５とステータ１３の間に滑りが発生しないようにする必要がある。そこで、ワッシャ２１の厚みを調節してウェーブワッシャ２０の潰し量を調節し、フォーカスリング６と連結リング１９のスリップトルクを調節している。
このように、従来のレンズ鏡筒では、各部の摩擦力の大小関係が所定の関係にあることが必要であり、そのために、フォーカスリング６と連結リング１９とのスリップトルクを調節すると共に、前側固定筒１とステータ１３のスリップトルクを調節する必要がある。
従来、前側固定筒１とステータ１３のスリップトルクの調節は、ワッシャ１６の厚みを調節しウェーブワッシャ１５の潰し量を調節することにより行われていた。
【０００５】
【発明が解決しようとする課題】
しかし、従来のレンズ鏡筒では、スリップトルクの調整作業が繁雑であった。
具体的には、図４に示すような状態にして前側固定筒１とステータ１３のスリップトルクを測定し、測定値が所望の値でない場合は、摺動ピン１４を前側固定筒１から外してステータ１３を前側固定筒１から外す。そして、ウェーブワッシャ１５を前側固定筒１から外し、ワッシャ１６を厚みの異なるものに変更して、再びウェーブワッシャ１５を前側固定筒１に組み込む。次に、ステータ１３を前側固定筒１に組み込み、摺動ピン１４を前側固定筒１にねじ込んで組み上げて、再度スリップトルクを測定して確認する必要があった。したがって、スリップトルクの調整を行うときには、一度組み立てたユニットをばらして、再度組み立てる必要があり、その後の確認で、所望の値になっていない場合には、もう一度ばらして組み立てる必要があった。
このように、従来のレンズ鏡筒は、スリップトルクの調整作業が難しく、調整を行う作業者に組み立て技術が必要であると共に、調整に時間がかかるという問題があった。
【０００６】
本発明の課題は、スリップトルクの調整が容易なレンズ鏡筒を提供することである。
【０００７】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、撮影光学系（Ｌ１，Ｌ２）と、固定筒（２，１０１）と、手動で操作可能な操作部材（６）と、前記固定筒に嵌合し、前記操作部材によって光軸を中心として回転可能であって、表面波を発生可能なステータ（１１３）、及びそのステータに摩擦接触し、前記表面波により光軸を中心に回転して前記撮影光学系を駆動可能なロータ（２５）とを有する表面波モータと、前記ロータが回転するときに前記ステータが前記固定筒に対して回転しないように作用する摩擦力を生ずる加圧力を前記固定筒と前記ステータとの間に与える加圧部材（１５）と、前記ステータの光軸方向の位置を変更することによって、前記加圧部材の加圧力を調整する加圧力調整部（１１３ａ，１１４）とを備え、前記加圧力調整部は、前記ステータの前記固定筒との嵌合面側に設けられたガイド溝（１１３ａ）と、前記固定筒に設けられ、前記ガイド溝に入り込むガイド部とを備えることを特徴とするレンズ鏡筒である。
【０００８】
請求項２の発明は、請求項１に記載のレンズ鏡筒において、前記ガイド溝（１１３ａ）は、前記ステータの円周方向に設けられ、前記ガイド部は、前記固定筒に植設されるガイドピン（１１４）を備え、前記加圧力調整部は、前記ガイド部の外径を変更することにより、前記加圧力を調整すること、を特徴とするレンズ鏡筒である。
【０００９】
請求項３の発明は、請求項１に記載のレンズ鏡筒において、前記ガイド溝（１１３ａ）は、前記ステータの円周方向に設けられ、前記ガイド部は、複数の偏心した接触面を有し前記固定筒に植設されるガイドピン（１１４）を備え、前記加圧力調整部は、前記ガイド溝に接触する前記接触面を変更することにより、前記加圧力を調整すること、を特徴とするレンズ鏡筒である。
【００１０】
請求項４の発明は、請求項３に記載のレンズ鏡筒において、前記ガイドピンは、前記接触面が連続した偏心ピンであること、を特徴とするレンズ鏡筒である。
【００１１】
請求項５の発明は、請求項１から請求項４までのいずれか１項に記載のレンズ鏡筒において、前記ステータ（１１３）は、前記ステータの外周から前記ガイド溝（１１３ａ）に達し、前記加圧力調整部を調整することができる貫通孔（１１３ｂ）を有すること、を特徴とするレンズ鏡筒である。
請求項６の発明は、請求項１から請求項５までのいずれか１項に記載のレンズ鏡筒において、前記操作部材と一体に回転するとともに、前記ステータに回転を伝える連結リングを有し、前記操作部材と前記連結リングのスリップトルクから前記固定筒と前記ステータのスリップトルクを引いたトルクが、前記ステータと前記ロータのスリップトルクより小さいこと、を特徴とするレンズ鏡筒である。
請求項７の発明は、請求項６に記載のレンズ鏡筒において、前記ロータの回転が伝わる連動レバーと、前記固定筒に設けられ、前記連動レバーが当たることにより、前記ロータの回転を制限する制限部材とを有すること、を特徴とするレンズ鏡筒である。
【００１２】
【発明の実施の形態】
以下、図面等を参照しながら、本発明の実施の形態について、更に詳しく説明する。
図１は、本発明によるレンズ鏡筒の実施形態の断面図である。
本実施形態におけるレンズ鏡筒は、前群レンズＬ１，後群レンズＬ２，前側固定筒１０１，後側固定筒２，前群レンズ室３，外観筒４，セットビス５，フォーカスリング６，後群レンズ室７，移動枠８，カムピン９，連動レバー１０，連動リング１１，ビス１２，ウェーブワッシャ１５，連結キー１７，ビス１８，連結リング１９，ウェーブワッシャ２０，ワッシャ２１，押え環２２，連動ピン２３，摺動ピン２４，ロータ２５，ウェーブワッシャ２６，ステータ１１３，摺動ピン１１４等を備えている。
【００１３】
前群レンズＬ１は、前群レンズ室３に保持され、フォーカシング動作によっては、移動しない撮影レンズの一部である。
【００１４】
後群レンズＬ２は、撮影レンズの一部であって、後群レンズ室７に保持され、フォーカシング動作によって光軸方向へ移動する合焦レンズである。
【００１５】
前側固定筒１０１は、レンズ鏡筒の中で移動せずベースとなる部材であり、後側固定筒２に固定されている。
【００１６】
後側固定筒２は、図示しないカメラ本体に取り付けるマウントを有した固定部材であり、後述する移動枠８に植設された後述するカムピン９を移動するためのリード穴２ａを有している。
前側固定筒１０１と後側固定筒２が接続されて、１つの固定筒としての役割を果たしている。
【００１７】
前群レンズ室３は、前群レンズＬ１を保持するとともに、前側固定筒１０１に螺合され固定されている枠部材である。
【００１８】
外観筒４は、レンズ鏡筒の外観となる部材であり、先端にフィルターを取り付けるためのフィルターネジ４ａを有し、前側固定筒１０１に螺合され固定されている。
【００１９】
セットビス５は、外観筒４のフィルターネジ４ａへのフィルターの取り付け／取り外し時に外観筒４と前側固定筒１０１の螺合が弛まないように取り付けられているビスである。
【００２０】
フォーカスリング６は、後側固定筒２と外観筒４の間に光軸周りの回転のみ可能に取り付けられている操作環であり、手動で回転させることで、ピント合わせが可能になる。
【００２１】
後群レンズ室７は、後群レンズＬ２を保持するとともに、後述する移動枠８に螺合されている枠部材である。
【００２２】
移動枠８は、後群レンズ室７を螺合し、後述のカムピン９が植設されている可動部材であり、フォーカシング動作によって光軸に沿った方向に移動する。
【００２３】
カムピン９は、後側固定筒２のリード穴２ａに入り込んでいるピンである。カムピン９に光軸周りに力を加えると、リード穴２ａにガイドされ螺旋を描くように光軸周りに回転しながら光軸方向に移動する。カムピン９は、移動枠８に植設されているので、移動枠８は、カムピン９同様に光軸周りに回転しながら光軸方向に移動する。移動枠８は、後群レンズ室７に螺合しているので、後群レンズ室７は、移動枠８同様に光軸周りに回転しながら光軸方向に移動する。後群レンズ室７は、後群レンズＬ２を保持しているので、後群レンズＬ２は、光軸周りに回転しながら光軸方向に移動する。したがってカムピン９に光軸周りに力を加えると、後群レンズＬ２は、光軸方向に移動を行うのでピント合わせが可能になる。
【００２４】
連動レバー１０は、後述する連動リング１１に固定され、連動リング１１と共に回転する部材であり、カムピン９を嵌入する光軸と平行な連動穴１０ａを有する。
【００２５】
連動リング１１は、前側固定筒１０１に植設される後述の摺動ピン２４にガイドされて光軸周りの回転のみ可能な部材である。連動リング１１は、後述する連動ピン２３を嵌入するための切り欠き１１ａを有している。
【００２６】
ビス１２は、連動レバー１０を連動リング１１に固定するビスである。連動リング１１は、光軸周りに回転可能なので連動レバー１０も光軸周りに回転し、連動穴１０ａによってカムピン９に光軸周りに力を加えることが可能になり、後群レンズＬ２は、光軸方向に移動可能になりピント合わせが可能となっている。
【００２７】
ウェーブワッシャ１５は、ステータ１１３を光軸方向に押している加圧部材（ばね座金）である。したがってステータ１１３が回転するには、ウェーブワッシャ１５によって発生する摩擦力より大きな力が必要になる。
【００２８】
連結キー１７は、後述するビス１８によってステータ１１３に固定されているキーである。
【００２９】
ビス１８は、連結キー１７をステータ１１３に固定するビスである。
【００３０】
連結リング１９は、連結キー１７が嵌入する切り欠き１９ａを有し、ステータ１１３の回転が伝達されるリングである。
【００３１】
ウェーブワッシャ２０は、連結リング１９とフォーカスリング６が一体に回転するように摩擦力を与える加圧部材である。
【００３２】
ワッシャ２１は、ウェーブワッシャ２０の潰し量を調節する座金である。
【００３３】
押え環２２は、フォーカスリング６にワッシャ２１とウェーブワッシャ２０と連結リング１９を挟み込む環状の部材である。押え環２２とフォーカスリング６との間にワッシャ２１とウェーブワッシャ２０と連結リング１９を設けることにより、フォーカスリング６と連結リング１９は、ウェーブワッシャ２０の摩擦力で一緒に回転し、連結リング１９の切り欠き１９ａから連結キー１７に回転が伝わってステータ１１３が回転する。
【００３４】
連動ピン２３は、ロータ２５に植設され連動リング１１の切り欠き１１ａに嵌入されているピンである。
【００３５】
摺動ピン２４は、前側固定筒１０１に植設され、連動リング１１を光軸周りの回転のみ可能なように保持するピンである。
【００３６】
ロータ２５は、超音波モータ（表面波モータ）の回転子であり、ステータ１１３に対し回転可能に保持され後述のウェーブワッシャ２６により光軸方向のステータ１１３側に押されてロータ２５の光軸方向の移動が阻止される。
【００３７】
ウェーブワッシャ２６は、ロータ２５が回転するのに必要な加圧力をステータとの間に与えるばね座金である。
【００３８】
ステータ１１３は、表面波を発生する超音波モータの移動子であり、ガイド溝として円周溝１１３ａを有している。円周溝１１３ａには、後述する摺動ピン１１４が入り込んでおり、この摺動ピン１１４にガイドされて光軸周りの回転が可能となっている。
【００３９】
摺動ピン１１４は、ステータ１１３を案内するガイドピンであり、前側固定筒１０１に植設されている。摺動ピン１１４は、円周溝１１３ａに入り込むガイド部の径が異なるものを何種類か用意し、後述するスリップトルクの調整を行うときに適宜選択して使用する。
なお、円周溝１１３ａの幅は、摺動ピン１１４のガイド部の径が最大のものでも円周溝１１３ａに入るように設定されている。
【００４０】
図２は、摺動ピン１１４付近の断面を光軸方向から見た図である。
ステータ１１３の円周溝１１３ａは、一部に貫通孔１１３ｂが空いており、摺動ピンの組み付けや交換を行うときには、ステータ１１３を回転して、貫通孔１１３ｂから摺動ピン１１４の取付・取り外しを行う。
上記のように、ステータ１１３の円周溝１１３ａと摺動ピン１１４によって、ウェーブワッシャ１５の加圧力を調整する加圧力調整部が形成されている。
【００４１】
次に、本実施形態におけるレンズ鏡筒の作動について説明する。
まず、手動でピント合わせを行う場合を説明する。
ピント合わせのためにフォーカスリング６を回転する。その回転は、ウェーブワッシャ２０の加圧力によって生じた摩擦力により連結リング１９に伝わる。連結リング１９の回転は、連結リング１９の切り欠き１９ａから連結キー１７に伝わり、ビス１８に固定されたステータ１１３に伝わる。
フォーカスリング６より伝わったステータ１１３の回転は、ウェーブワッシャ２６によって加圧されたロータ２５との摩擦力によってロータ２５に伝わり、ロータ２５に植設された連動ピン２３から連動リング１１の切り欠き１１ａに伝わり連動リング１１に伝わる。
【００４２】
連動リング１１の回転は、ビス１２に固定された連動レバー１０に伝わり、連動レバー１０の連動穴１０ａを介してカムピン９に伝わる。カムピン９に伝わった回転により、カムピン９は、後側固定筒２のリード穴２ａにガイドされて螺旋を描き光軸周りを回転しながら光軸方向に移動する。
カムピン９は、移動枠８に植設されているので、同様に移動枠８は、光軸周りを回転しながら光軸方向に移動する。
後群レンズ室７は、移動枠８に螺合されているので移動枠８と同様光軸周りを回転しながら光軸方向に移動する。
後群レンズＬ２は、後群レンズ室７に保持されているので後群レンズ室７同様光軸周りを回転しながら光軸方向に移動する。
後群レンズＬ２は、光軸方向に移動するので、ピント位置が移動する。
したがって、フォーカスリング６を手動で回転することによってピント位置が移動しピント合わせができる。
【００４３】
本実施形態におけるレンズ鏡筒は、オートフォーカスでのピント合わせも可能であり、その動作を次に説明する。
オートフォーカス時には、超音波モータのステータ１１３とロータ２５に相対回転を発生させる。ステータ１１３は、ウェーブワッシャ１５により光軸方向に加圧されており、摩擦力によって前側固定筒１０１とは相対回転しにくくなっている。そのため、ステータ１１３とローター２５との相対回転では、ステータ１１３が前側固定筒１０１に対して回転しないで、ロータ２５が前側固定筒１０１に対して回転する。
ロータ２５の回転は、ロータ２５に植設された連動ピン２３から連動リング１１の切り欠き１１ａに伝わり連動リング１１に伝わり、前述した手動の場合と同様にして、後群レンズＬ２が光軸方向に移動し、超音波モータのステータ１１３とロータ２５との相対回転によってピント位置が移動しピント合わせができる。
【００４４】
本実施形態におけるレンズ鏡筒のピント合わせ可能範囲は、前側固定筒１０１に存在する回転制限１０１ａによって連動レバー１０の回転が制限された範囲である。この回転制限１０１ａに連動レバー１０が当たった状態で、更にフォーカスリング６を回したとすると、どこかに滑りが生じることが必要となる。
例えばローター２５とステータ１１３の間で滑りが発生した場合は、甲高い耳障りな金属音が発生するとともに、無理に滑りを発生させると、ローター２５とステータ１１３の接触面が荒れモータの性能を落とすことになってしまう。
【００４５】
そのために、フォーカスリング６を回転させて回転制限１０１ａに達し、更に同じ方向にフォーカスリング６を回転させようとした場合は、フォーカスリング６と連結リング１９との間に滑りが発生するようにし、ローター２５とステータ１１３の間に滑りが発生しないようにする必要がある。このため、ワッシャ２１の厚みを調節してウェーブワッシャ２０の潰し量を調節し、フォーカスリング６と連結リング１９とのスリップトルク（加圧力）の調節を行っている。
【００４６】
ステータ１１３とロータ２５との間でスリップが発生しない条件は、フォーカスリング６と連結リング１９のスリップトルクＴ２０から前側固定筒１０１とステータ１１３のスリップトルクＴ１５を引いたトルクがステータ１１３とロータ２５のスリップトルクＴ２６よりも小さいことである。数式にすると、
Ｔ２６＞Ｔ２０−Ｔ１５  …（式１）
を満たす必要がある。
【００４７】
なお、ステータ１１３とロータ２５のスリップトルクＴ２６は、超音波モータとしての性能を決めるパラメータであるので、（式１）を満たすための調整においては、スリップトルクＴ２６の調整は行わない。
したがって、フォーカスリング６と連結リング１９のスリップトルクＴ２０を調節すると共に、前側固定筒１０１とステータ１１３のスリップトルクＴ１５を調節する必要がある。
【００４８】
前側固定筒１０１とステータ１１３のスリップトルクＴ１５の調節は、摺動ピン１１４の径を変えてステータ１１３の光軸方向の位置を変更することによって、ウェーブワッシャ１５の潰し量を変化させて行う。
例えば、前側固定筒１０１とステータ１１３のスリップトルクＴ１５が所望より小さい場合は、ウェーブワッシャ１５の潰し量を増せば加圧力が増加して、摩擦力を増やすことができるので、摺動ピンの径がより大きいものに組み替えればウェーブワッシャ１５の潰し量が増えてスリップトルクＴ１５が増加する。
【００４９】
なお、スリップトルクＴ１５の調整を行うときに、摺動ピン１１４の径の変化によってステータ１１３の位置が光軸方向に変化するが、ステータ１１３に固定された連結キー１７と連結リング１９の切り欠き１９ａの係合関係と、ロータ２５に固定された連動ピン２３と連動リング１１の切り欠き１１ａの係合関係は、ステータ１１３の光軸方向の移動に影響を受けない構成であり、調整によるステータ１１３の光軸方向の移動により回転の伝達に不具合が生じることはない。
また従来のように、調整のためにステータ１１３を前側固定筒１０１から取り外すことなく、摺動ピン１１４を取り替えることにより調整可能であるため、作業性が格段に向上する。
【００５０】
本実施形態によれば、摺動ピン１１４の径を調整することによりウェーブワッシャ１５の潰し量を調整し、前側固定筒１０１とステータ１１３のスリップトルクＴ１５を調整できるため、従来のように、調整のためにステータ１１３を前側固定筒１０１から取り外す必要がなく、スリップトルクＴ１５の調整を容易にすることができる。
【００５１】
（変形形態）
以上説明した実施形態に限定されることなく、種々の変形や変更が可能であって、それらも本発明の均等の範囲内である。
例えば、本実施形態において、外径が異なる摺動ピン１１４を複数用意する例を示したが、例えば、複数の（例えば４つの）偏心した接触面を同一の摺動ピンに設けて、ウェーブワッシャ１５の加圧力を受けてステータ１１３と接触する接触面を選択するようにしてもよいし、この接触面が連続した偏心ピンとしてもよい。
【００５２】
【発明の効果】
以上詳しく説明したように、請求項１の発明によれば、ステータの光軸方向の位置を変更することによって、加圧部材の加圧力を調整する加圧力調整部を備えるので、加圧力を簡単に調整することができる。
【００５３】
請求項２の発明によれば、ガイド溝と、ガイドピンとを備え、加圧力調整部は、ガイド部の外径を変更することにより、加圧力を調整するので、ガイドピンを交換するだけで加圧力を変更することができ、ユニットをばらす必要がない。
【００５４】
請求項３の発明によれば、ガイド溝と、ガイド溝に入り込み、複数の偏心した接触面を有するガイド部を有し固定筒に植設されるガイドピンとを備え、加圧力調整部は、ガイド溝に接触する接触面を変更することにより、加圧力を調整するので、ガイドピンを複数種類用意することなく、更に簡単に加圧力を調整することができる。
【００５５】
請求項４の発明によれば、ガイドピンは、接触面が連続した偏心ピンであるので、加圧力の調整を無段階で行うことができる。
【００５６】
請求項５の発明によれば、ステータは、ステータの外周からガイド溝に達し、加圧力調整部を調整することができる貫通孔を有するので、作業性をよくすることができる。
【図面の簡単な説明】
【図１】本発明によるレンズ鏡筒の実施形態の断面図である。
【図２】摺動ピン１１４付近の断面を光軸方向から見た図である。
【図３】従来のレンズ鏡筒を示す断面図である。
【図４】従来のレンズ鏡筒において、スリップトルクの調整を行うときのユニットを示す図である。
【符号の説明】
１  前側固定筒
１ａ  回転制限
２  後側固定筒
２ａ  リード穴
３  前群レンズ室
４  外観筒
４ａ  フィルターネジ
５  セットビス
６  フォーカスリング
７  後群レンズ室
８  移動枠
９  カムピン
１０  連動レバー
１０ａ  連動穴
１１  連動リング
１１ａ  切り欠き
１２  ビス
１３  ステータ
１４  摺動ピン
１５  ウェーブワッシャ
１６  ワッシャ
１７  連結キー
１８  ビス
１９  連結リング
１９ａ  切り欠き
２０  ウェーブワッシャ
２１  ワッシャ
２２  押え環
２３  連動ピン
２４  摺動ピン
２５  ロータ
２６  ウェーブワッシャ
１０１  前側固定筒
１０１ａ  回転制限
１１３  ステータ
１１３ａ  円周溝
１１３ｂ  貫通孔
１１４  摺動ピン
Ｌ１  前群レンズ
Ｌ２  後群レンズ
【図１】
0004691817.tif 000002
【図２】
0004691817.tif 000003
【図３】
0004691817.tif 000004
【図４】
0004691817.tif 000005